(57)【要約】【課題】表示部上で輝度ムラが生じるのを抑制することが可能な表示装置を提供する。【解決手段】この表示装置１００は、表示部１と、点光源２と、点光源２が設けられる底面部７１と、底面部７１と表示部１の外縁部（短辺部１ａおよび１ｂ、長辺部１ｃおよび１ｄ）との間に、底面部７１に対して傾斜して設けられる傾斜部７２ａ〜７２ｄとを含み、点光源２からの光を反射する反射シート７と、点光源２の傾斜部７２ａ（または７２ｂ）側に配置され、点光源２から傾斜部７２ａ（または７２ｂ）までの直接光の光路上に配置される光路変更部材８とを備える。【選択図】図４
2017084538.tif 000002
【特許請求の範囲】
【請求項１】
表示部と、
前記表示部の第１面側に配置される光源部と、
前記光源部が設けられる底面部と、前記底面部と前記表示部の外縁部との間に、前記底面部に対して傾斜して設けられる傾斜部とを含み、前記光源部からの光を反射する反射部材と、
前記光源部の前記傾斜部側に配置され、前記光源部から前記傾斜部までの直接光の光路上に配置される光路変更部材とを備える、表示装置。
【請求項２】
前記光路変更部材は、遮光、反射、拡散、屈折、回折、減衰のうちの少なくとも１つの性質を有する、請求項１に記載の表示装置。
【請求項３】
前記表示部は、４つの辺を有し、
前記光源部は、複数の点光源を含み、
前記光路変更部材は、前記複数の点光源のうち、前記４つの辺のうちの２つの前記辺から所定の距離以下の位置に配置されている前記点光源部の前記傾斜部側に配置されている、請求項１または２に記載の表示装置。
【請求項４】
前記光路変更部材は、前記光源部から前記傾斜部までの光路のうちの光の強度がピーク値の２分の１以上となる前記光路上に配置されている、請求項１〜３のいずれか１項に記載の表示装置。
【請求項５】
前記光路変更部材は、前記反射部材に一体的に設けられている、請求項１〜４のいずれか１項に記載の表示装置。
【請求項６】
前記光路変更部材は、前記反射部材の前記底面部から前記表示部に向かって、折り曲げ可能に形成される折り曲げ部を含む、請求項５に記載の表示装置。
【請求項７】
前記光源部は、点光源と、前記点光源を覆うレンズ部と、前記点光源が実装された光源基板とを含み、
前記反射部材は、前記レンズ部と前記光源基板との隙間に配置され、前記光路変更部材の位置を規制する位置規制部を含む、請求項５または６に記載の表示装置。
【請求項８】
前記表示部は、４つの辺を有し、
前記光路変更部材は、光を反射する性質を有し、前記４つの辺のうちの２つの前記辺の交点近傍に向かって、前記光源部からの光を反射する反射面を含む、請求項１〜７のいずれか１項に記載の表示装置。
【請求項９】
前記表示部は、４つの辺を有し、
前記光路変更部材は、光を屈折させる性質を有し、前記４つの辺のうちの２つの前記辺の交点近傍に向かって、前記光源部からの光を屈折して導光する導光部を含む、請求項１〜４のいずれか１項に記載の表示装置。
【発明の詳細な説明】
【技術分野】
【０００１】
この発明は、表示装置に関し、特に、光源部を備えた表示装置に関する。
【背景技術】
【０００２】
従来、光源部を備えた表示装置が知られている（たとえば、特許文献１参照）。
【０００３】
上記特許文献１には、点光源を備えた照明装置が開示されている。この照明装置は、液晶表示パネルと、筐体と、拡散板と、光学シートと、拡散補助部材とが設けられている。拡散補助部材は、拡散板上で、かつ、点光源に対向するように設けられている。そして、拡散補助部材は、点光源から拡散板に垂直に入射する光を拡散するように構成されている。また、筐体は、板状形状を有し、点光源が配置されている第１支持部材と、第１支持部材の外周部から外側で、かつ、拡散板および液晶表示パネルに対して傾斜して設けられる第２支持部材とを含む。そして、第２支持部材は、反射性を有する素材により形成されており、点光源からの光を、拡散板および液晶表示パネル側に反射するように構成されている。これにより、上記特許文献１の照明装置では、第２支持部材により、点光源からの光の利用効率を高めることが可能に構成されている。
【先行技術文献】
【特許文献】
【０００４】
【特許文献１】特開２０１０―４０２３６号公報
【発明の概要】
【発明が解決しようとする課題】
【０００５】
しかしながら、上記特許文献１の照明装置では、第２支持部材は、拡散板および液晶表示パネルに対して傾斜して設けられ、点光源からの光を、拡散板および液晶表示パネル側に反射するように構成されている。このため、拡散板および液晶表示パネルの外縁部の近傍には、第２支持部材（反射部材）からの反射光と点光源からの直接光とが照射され、比較的輝度が高くなる場合があると考えられる。この場合、上記特許文献１の照明装置（表示装置）では、拡散板および液晶表示パネルの外縁部の近傍の輝度が高くなることに起因して、液晶表示パネル（表示部）上で輝度ムラが生じるという問題点があると考えられる。
【０００６】
この発明は、上記のような課題を解決するためになされたものであり、この発明の１つの目的は、表示部上で輝度ムラが生じるのを抑制することが可能な表示装置を提供することである。
【課題を解決するための手段】
【０００７】
上記目的を達成するために、この発明の一の局面による表示装置は、表示部と、表示部の第１面側に配置される光源部と、光源部が設けられる底面部と、底面部と表示部の外縁部との間に、底面部に対して傾斜して設けられる傾斜部とを含み、光源部からの光を反射する反射部材と、光源部の傾斜部側に配置され、光源部から傾斜部までの直接光の光路上に配置される光路変更部材とを備える。
【０００８】
この発明の一の局面による表示装置では、上記のように、表示装置に、光源部の傾斜部側に配置され、光源部から傾斜部までの直接光の光路上に配置される光路変更部材を備える。これにより、光源部から傾斜部に向かう光の光路を変更するか、光を減衰または遮光することができる。その結果、傾斜部に照射される光の強度が比較的小さくなるので、底面部に対して傾斜して設けられる傾斜部により反射されて、表示部の外縁部の近傍に向かう光の強度を比較的小さくすることができる。この結果、表示部の外縁部の近傍の輝度が高くなるのを抑制することができるので、表示部の外縁部の近傍の輝度が高くなることに起因した、表示部上での輝度ムラの発生を抑制することができる。
【０００９】
上記一の局面による表示装置では、好ましくは、光路変更部材は、遮光、反射、拡散、屈折、回折、減衰のうちの少なくとも１つの性質を有する。このように構成すれば、遮光、反射、拡散、屈折、回折、減衰のうちの少なくとも１つの性質を用いて、容易に、光源部から傾斜部に向かう光の光路を変更することができる。
【００１０】
上記一の局面による表示装置では、好ましくは、表示部は、４つの辺を有し、光源部は、複数の点光源を含み、光路変更部材は、複数の点光源のうち、４つの辺のうちの２つの辺から所定の距離以下の位置に配置されている点光源部の傾斜部側に配置されている。ここで、表示部の４つの辺のうちの２つの辺から所定の距離以下の位置（表示部の角部）には、点光源からの光が比較的届きにくい。このため、表示部の４つの辺のうちの２つの辺の交点近傍（角部）の輝度の低下を抑制するために、表示部の４つの角部の近傍に、光源部が設けられる場合がある。この場合、表示部の４つの角部の輝度の低下を抑制することができる一方、複数の点光源のうちの４つの角部にそれぞれ最も近い位置に配置される点光源と、表示部の外縁部との距離が比較的小さくなるので、表示部の外縁部が比較的輝度が高くなりやすい。この点に対して、本発明では、光路変更部材を、複数の点光源のうち、４つの辺のうちの２つの辺から所定の距離以下の位置に配置されている点光源部の傾斜部側に配置する。これにより、複数の点光源との距離が比較的小さく、比較的輝度が高くなりやすい表示部の外縁部（角部）の近傍の輝度が高くなるのを抑制することができるので、表示部上での輝度ムラの発生を、効果的に、抑制することができる。
【００１１】
上記一の局面による表示装置では、好ましくは、光路変更部材は、光源部から傾斜部までの光路のうちの光の強度がピーク値の２分の１以上となる光路上に配置されている。ここで、光源部から傾斜部までの光のうちの光の強度がピーク値の２分の１以上となる強い光が、反射部材に反射された場合、表示部上では、輝度ムラが生じる場合が多い。この点を考慮して、本発明では、光路変更部材を、光源部から傾斜部までの光路のうちの光の強度がピーク値の２分の１以上となる光路上に配置することにより、比較的輝度ムラを生じやすいピーク値の２分の１以上となる光の光路を変更するか、光を減衰または遮光することができるので、より効果的に、表示部上での輝度ムラの発生を抑制することができる。
【００１２】
上記一の局面による表示装置では、好ましくは、光路変更部材は、反射部材に一体的に設けられている。このように構成すれば、光路変更部材を、別部品として設ける必要がないので、その分、表示装置の部品点数が増加するのを抑制することができる。
【００１３】
この場合、好ましくは、光路変更部材は、反射部材の底面部から表示部に向かって、折り曲げ可能に形成される折り曲げ部を含む。このように構成すれば、反射部材に切り込みをいれて、折り曲げ部を折り曲げることにより、容易に、光路変更部材を反射部材に一体的に設けることができる。
【００１４】
上記光路変更部材が反射部材に一体的に設けられている表示装置では、好ましくは、光源部は、点光源と、点光源を覆うレンズ部と、点光源が実装された光源基板とを含み、反射部材は、レンズ部と光源基板との隙間に配置され、光路変更部材の位置を規制する位置規制部を含む。このように構成すれば、反射部材の位置規制部がレンズ部と光源基板との隙間に配置されることにより、反射部材に一体的に設けられている光路変更部材の位置が規制されるので、光路変更部材が光源部の傾斜部側（配置された位置）からずれるのを抑制することができる。
【００１５】
上記一の局面による表示装置では、好ましくは、表示部は、４つの辺を有し、光路変更部材は、光を反射する性質を有し、４つの辺のうちの２つの辺の交点近傍に向かって、光源部からの光を反射する反射面を含む。ここで、上記したように、表示部の４つの辺のうちの２つの辺の交点近傍（角部）には、光源部からの光が比較的届きにくいので、表示部の４つの角部の輝度の低下を抑制するために、表示部の４つの角部の近傍に、光源部が設けられる場合がある。しかしながら、この場合、光源部が角部側に設けられる分、複数の光源部同士の間の距離が大きくなるので、複数の光源部同士の間の距離が大きくなることに起因する輝度ムラを抑制するために、光源部の数を増大させる必要が生じる場合がある。この点に対して、本発明では、光路変更部材は、光を反射する性質を有し、４つの辺のうちの２つの辺の交点近傍に向かって、光源部からの光を反射する反射面を含むことにより、比較的輝度が低くなりやすい２つの辺の交点近傍（角部）に、反射面により光を照射することができる。これにより、反射面により光を角部に照射することができるので、表示部の４つの角部の近傍に、光源部を設ける必要がない。その結果、光源部の数の増大を抑制しながら、表示部上での輝度ムラの発生をより抑制することができる。
【００１６】
上記一の局面による表示装置では、好ましくは、表示部は、４つの辺を有し、光路変更部材は、光を屈折させる性質を有し、４つの辺のうちの２つの辺の交点近傍に向かって、光源部からの光を屈折して導光する導光部を含む。このように構成すれば、比較的輝度が低くなりやすい２つの辺の交点近傍（角部）に、導光部により光を照射することができる。これにより、導光部により光を角部に照射することができるので、表示部の４つの角部の近傍に、光源部を設ける必要がない。その結果、光源部の数の増大を抑制しながら、表示部上での輝度ムラの発生をさらに抑制することができる。
【発明の効果】
【００１７】
本発明によれば、上記のように、表示部上で輝度ムラが生じるのを抑制することができる。
【図面の簡単な説明】
【００１８】
【図１】本発明の第１実施形態による表示装置の全体構成を示した斜視図である。
【図２】本発明の第１実施形態による表示装置の全体の構成を矢印Ｙ２方向側から見た図である。
【図３】本発明の第１実施形態による表示装置の分解斜視図である。
【図４】本発明の第１実施形態による表示装置の内部を矢印Ｙ１方向側から見た図である。
【図５】本発明の第１実施形態による表示装置の光路変更部材の構成を示す図である。
【図６】本発明の第１実施形態による表示装置の光路変更部材（取付け前）を矢印Ｙ１方向側から見た図である。
【図７】本発明の第１実施形態による表示装置の構成の一部を示す断面図である。
【図８】本発明の第１実施形態による表示装置の光路変更部材の回折を説明するための図である。
【図９】本発明の第１実施形態による表示装置の点光源からの距離と表示部上での輝度との関係を示す図である。
【図１０】本発明の第２実施形態による表示装置の内部を矢印Ｙ１方向側から見た図である。
【図１１】本発明の第２実施形態による表示装置の光路変更部材の構成を示す図である。
【図１２】本発明の第２実施形態による表示装置の構成の一部を示す断面図である。
【図１３】本発明の第２実施形態による表示装置の点光源からの距離と表示部上での輝度との関係を示す図である。
【図１４】本発明の第３実施形態による表示装置の内部を矢印Ｙ１方向側から見た図である。
【図１５】本発明の第１〜第３実施形態の第１変形例による表示装置の内部を矢印Ｙ１方向側から見た図である。
【図１６】本発明の第１〜第３実施形態の第２変形例による光路変更部材の構成を示す図である。
【図１７】本発明の第１〜第３実施形態の第３変形例による光路変更部材の構成を示す図である。
【図１８】本発明の第２実施形態の第４変形例による光路変更部材の構成を示す断面図である。
【図１９】本発明の第３実施形態の第５変形例による光路変更部材の構成を示す図である。
【図２０】本発明の第２実施形態（第３実施形態）の第６変形例による表示装置の構成を示す図である。
【図２１】本発明の第２実施形態（第３実施形態）の第７変形例による表示装置の構成を示す図である。
【発明を実施するための形態】
【００１９】
以下、本発明の実施形態を図面に基づいて説明する。
【００２０】
［第１実施形態］
図１〜図８を参照して、本発明の第１実施形態による表示装置１００の構成について説明する。表示装置１００は、たとえば、テレビジョン装置として構成されている。
【００２１】
（表示装置の全体構成）
本発明の第１実施形態による表示装置１００には、図１に示すように、表示部１が設けられている。表示部１は、たとえば、液晶セルからなり、映像を表示可能に構成されている。なお、以下の説明において、表示装置１００の表示部１に対向する位置から見て、左方向を矢印Ｘ１方向、右方向を矢印Ｘ２方向、正面方向（手前方向）を矢印Ｙ１方向、背面方向を矢印Ｙ２方向、上方向を矢印Ｚ１方向、下方向を矢印Ｚ２方向として説明する。なお、背面１０１（図７参照）は、特許請求の範囲の「第１面」の一例である。
【００２２】
また、表示装置１００は、矢印Ｙ２方向側に設けられた点光源２（図３参照）をバックライトとして表示部１に映像を表示する直下型液晶モジュールとして構成されている。
【００２３】
図１および図２に示すように、表示装置１００には、前部筐体３とスタンド部材４とリアフレーム５とカバー部材６とが設けられている。
【００２４】
前部筐体３は、たとえば、樹脂により形成されている。そして、前部筐体３は、表示部１を矢印Ｙ１方向側から支持するように構成されている。また、前部筐体３の中央部には、表示部１を矢印Ｙ１方向側に露出させる開口部３ａが設けられている。
【００２５】
スタンド部材４は、たとえば、樹脂により形成されている。そして、スタンド部材４は、表示装置１００全体を矢印Ｚ２方向側から支持するように構成されている。
【００２６】
リアフレーム５は、たとえば、金属により形成されており、矢印Ｙ２方向に窪む凹形状に形成されている。また、リアフレーム５は、前部筐体３に矢印Ｙ２方向側から組み合わされるように配置されている。
【００２７】
カバー部材６は、たとえば、樹脂により形成されており、図２に示すように、リアフレーム５よりも小さく形成されている。そして、カバー部材６は、リアフレーム５の矢印Ｙ２方向側に配置されている。また、カバー部材６は、リアフレーム５の背面（矢印Ｙ２方向側の面）に配置される電源基板や信号処理基板などの種々の基板（図示せず）を覆うように設けられている。
【００２８】
ここで、第１実施形態では、図３に示すように、表示装置１００には、反射シート７と、反射シート７に配置されている光路変更部材８とが設けられている。そして、光路変更部材８は、点光源２から出射される光の光路を変更するか、光を遮光または減衰するように構成されている。詳細は、後述する。なお、反射シート７は、特許請求の範囲の「反射部材」の一例である。
【００２９】
（表示装置の各部の構成）
図３に示すように、表示部１は、ＸＺ平面に平行な面上に、板状に形成されている。また、表示部１は、短辺部１ａおよび１ｂと、長辺部１ｃおよび１ｄとを含む、長方形形状を有するように構成されている。また、表示部１は、４つの辺（短辺部１ａおよび１ｂ、長辺部１ｃおよび１ｄ）のうちの２つの辺の交点である４つの角の近傍の部分である角部１ｅ〜１ｈを含む。なお、短辺部１ａおよび１ｂは、特許請求の範囲の「表示部の外縁部」および「辺」の一例である。また、長辺部１ｃおよび１ｄは、特許請求の範囲の「表示部の外縁部」および「辺」の一例である。なお、本願明細書の「角部」は、たとえば、短辺部１ａと長辺部１ｃとの交点近傍であるが、交点では尖った形状を有する必要はなく、短辺部１ａと長辺部１ｃとが弧状になだらかに接続されていてもよい。
【００３０】
点光源２は、たとえば、ＬＥＤ（Ｌｉｇｈｔ  Ｅｍｉｔｔｉｎｇ  Ｄｉｏｄｅ）により構成されている。点光源２は、複数（たとえば、１６個）設けられており、表示部１側（矢印Ｙ１方向側）に光を照射するように構成されている。なお、点光源２は、特許請求の範囲の「光源部」の一例である。
【００３１】
また、図３に示すように、表示装置１００には、ヒートシンク９と、光源基板１０と、レンズ部１１と、光学シート１２とが設けられている。なお、光源基板１０は、特許請求の範囲の「光源部」の一例である。また、レンズ部７は、特許請求の範囲の「光源部」の一例である。
【００３２】
ヒートシンク９は、たとえば、金属（板金）により構成されており、表示部１側（矢印Ｙ１方向側）に凸部を有するように形成されている。そして、ヒートシンク９は、たとえば、２つ設けられており、リアフレーム５の矢印Ｙ１方向側に、Ｚ方向に間隔を隔てて並列して配置されている。
【００３３】
光源基板１０は、２つ設けられており、それぞれヒートシンク９の表面に配置されている。そして、光源基板１０の表面には、それぞれ、点光源２が８個ずつ、Ｘ方向に互いに間隔を隔てて実装されている。
【００３４】
レンズ部１１は、光源基板１０に配置されている点光源２を矢印Ｙ１方向側から覆うように点光源２に対してそれぞれ配置されている。そして、レンズ部１１は、アクリルなどの樹脂により構成されており、点光源２からの出射光を所定の配光角を有する状態で出射されるように構成されている。また、図５に示すように、光源基板１０またはヒートシンク９には、たとえば３つの印１０ａが設けられている。そして、レンズ部１１は、レンズ部１１の矢印Ｙ２方向側に設けられた複数（たとえば、３つ）の脚部１１ａ（図７参照）が基板１０の表面に接着されることにより、基板１０に固定されている。レンズ部材１１は、点光源２とともに予め基板１０上に固定されている。レンズ部材１１は、平面的に見て（表示部１側から見て）円形状を有し、光源２よりも大きい。また、脚部１１ａは、それぞれ、点光源２と印１０ａとの間に配置されるように、接着される。なお、脚部１１ａと点光源２とは、離間して配置されている。
【００３５】
ここで、第１実施形態では、反射シート７は、点光源２が設けられる底面部７１と、底面部７１と表示部１の外縁部（短辺部１ａおよび１ｂ、長辺部１ｃおよび１ｄ）との間に、底面部７１に対して傾斜して設けられる傾斜部７２ａ〜７２ｄとを含み、点光源２からの光を反射（および拡散）するように構成されている。また、反射シート７は、リアフレーム５と光学シート１２との間に設けられており、点光源２からの光を、表示部１側（矢印Ｙ１方向側）に反射するように構成されている。
【００３６】
具体的には、反射シート７は、たとえば、樹脂（好ましくは、反射性を有する状態のＰＥＴ（Ｐｏｌｙｅｔｈｙｌｅｎｅ  ｔｅｒｅｐｔｈａｌａｔｅ））により形成されている。そして、反射シート７は、リアフレーム５に沿った形状（矢印Ｙ２方向側に窪む凹形状）を有するように構成されている。
【００３７】
図４に示すように、反射シート７の底面部７１は、ＸＺ平面に平行な平面上で、長方形形状を有するように形成されている。また、底面部７１には、１６個（８個×２列）の点光源２（レンズ部１１）の配置位置に対応する位置にそれぞれ開口部７１ａが設けられている。これにより、反射シート７が、リアフレーム５に取付けられた場合に、点光源２（レンズ部１１）が底面部７１の開口部７１ａに配置される。
【００３８】
反射シート７の傾斜部７２ａ〜７２ｄは、底面部７１の４辺を取り囲むように配置されている。傾斜部７２ａは、図３に示すように、底面部７１の矢印Ｘ１方向側の端部と表示部１の短辺部１ａとの間に設けられ、底面部７１に対して傾斜して設けられている。傾斜部７２ｂ（７２ｃ、および、７２ｄ）は、傾斜部７２ａと同様に、底面部７１の端部と表示部１の短辺部１ｂ（長辺部１ｃ、および、長辺部１ｄ）との間に設けられ、底面部７１に対して傾斜して設けられている。
【００３９】
光学シート１２は、拡散板や偏光フィルタ等からなり、図３に示すように、表示部１とリアフレーム５との間で、ＸＺ平面に平行な平面に広がる平板状に形成されている。これにより、点光源２から照射された光は、レンズ部１１を介して、光学シート１２に照射され、光学シート１２により、拡散および偏光方向が揃えられる。なお、光学シート１２は、１枚のシートとして構成されている場合に限らず、それぞれ所定の機能を有する複数枚のシートの組み合わせからなっていてもよい。
【００４０】
そして、表示部１は、光学シート１２を透過した光に対して、液晶の透過率を変化させることなどにより、画像の表示を行うように構成されている。
【００４１】
（光路変更部材の構成）
ここで、第１実施形態では、図４に示すように、光路変更部材８は、点光源２から傾斜部７２ａまたは７２ｂまでの直接光の光路上に配置されている。詳細には、光路変更部材８は、複数（１６個）の点光源２のうちの表示部１の角部１ｅ〜１ｈにそれぞれ最も近い位置に配置される複数（４個）の点光源２ａの傾斜部７２ａ側（矢印Ｘ１方向側）または７２ｂ側（矢印Ｘ２方向側）に配置されている。そして、光路変更部材８は、点光源２の傾斜部７２ａ（または７２ｂ側）に配置され、点光源２の光路を変更するか、光路上の光を遮光または減衰するように構成されている。
【００４２】
具体的には、第１実施形態では、光路変更部材８は、１６個の点光源２のうち、４つの辺（短辺部１ａおよび１ｂ、長辺部１ｃおよび１ｄ）のうちの２つの辺から所定の距離以下の位置に配置されている点光源部２ａの傾斜部７２ａ側（矢印Ｘ１方向側）または７２ｂ側（矢印Ｘ２方向側）に配置されている。図４では、短辺部１ａから距離ｄｔ１以下の距離ｄ１の位置に配置され、長辺部１ｃから距離ｄｔ２以下の距離ｄ２の位置に配置された点光源２ａと、短辺部１ａから距離ｄｔ１以下の距離ｄ１の位置に配置され、長辺部１ｄから距離ｄｔ２以下の距離ｄ２の位置に配置された点光源２ａと、短辺部１ｂから距離ｄｔ１以下の距離ｄ１の位置に配置され、長辺部１ｃから距離ｄｔ２以下の距離ｄ２の位置に配置された点光源２ａと、短辺部１ｃから距離ｄｔ１以下の距離ｄ１の位置に配置され、長辺部１ｄから距離ｄｔ２以下の距離ｄ２の位置に配置された点光源２ａとの４つの点光源２ａを図示している。また、点光源部２ａは、１６個の点光源２のうちの表示部１の角部１ｅ〜１ｈにそれぞれ最も近い位置に配置されている。
【００４３】
そして、光路変更部材８は、４つ設けられている。そのうちの１つの光路変更部材８は、矢印Ｘ１方向側で、かつ、矢印Ｚ１方向側の点光源２ａと短辺部１ａとの間（傾斜部７２側）に設けられている。ここで、矢印Ｙ１方向側から見た場合の距離である、短辺部１ａと点光源２ａとの距離ｄ１と、長辺部１ｃと点光源２ａとの距離ｄ２とは、ｄ２＞ｄ１の関係がある。すなわち、光路変更部材８は、表示部１の辺のうち最も点光源２ａの近くに配置されている辺（短辺部１ａ）と、点光源２ａとの間に設けられている。
【００４４】
また、他の光路変更部材８は、上記した光路変更部材８と同様に、表示部１の辺のうち最も点光源２ａの近くに配置されている辺（傾斜部７２ａまたは７２ｂ側）と、点光源２ａとの間に設けられている。
【００４５】
また、第１実施形態では、図５に示すように、光路変更部材８は、反射シート７に一体的に設けられている。具体的には、矢印Ｙ１方向側から見て、光路変更部材８は、反射シート７（底面部７１）の開口部７１ａの外周から点光源２側（内側）に向かって突出するように設けられている。
【００４６】
また、図６では、反射シート７が光源基板１０（レンズ９）に取り付けられる前の開口部７１ａの近傍を示している。図６に示すように、光路変更部材８は、反射シート７の一部に切り込みを入れられることにより形成されている。そして、光路変更部材８は、遮光部８１と、接続部８２と、折り曲げ部８３とを含む。また、光路変更部材８は、矢印Ｙ１方向側から見て、それぞれＸ軸に平行に長さＬを有する２つの接続部８２（長方形形状）と、２つの接続部８２の矢印Ｘ２方向側を接続する遮光部８１（長方形形状）とにより、略Ｕ字形状を有するように形成されている。また、遮光部８１は、Ｘ軸と平行な方向に幅Ｗ３を有し、幅Ｗ３の大きさは、長さＬの大きさよりも小さい。また、Ｚ軸に平行な方向において、接続部８２の幅Ｗ１は、後述する位置規制部７３の幅Ｗ２よりも小さい。
【００４７】
ここで、第１実施形態では、図５および図７に示すように、折り曲げ部８３は、反射シート７の底面部７１から表示部１側（矢印Ｙ１方向側）に向かって、折り曲げ可能に形成されている。また、図５に示すように、矢印Ｙ１方向側から見て、遮光部８１とレンズ部１１とは、互いに一部が重なるように設けられている。これにより、光路変更部材８は、反射シート７と光源基板１０とが組み合わされる際（反射シート７がリフレーム５（図３参照）に取付けられる際）に、遮光部８１がレンズ部１１に接触して、折り曲げ部８３により折り曲げられることにより、遮光部８１および接続部８２が、表示部１側に向かって、突出するように移動される。
【００４８】
また、第１実施形態では、光路変更部材８の遮光部８１は、点光源２から発せられレンズ部１１から出射する光の一部を、遮光、反射、拡散、回折、減衰させる性質を有する。具体的には、遮光部８１は、反射シート７と同一の材料（反射性を有する状態のＰＥＴ）により形成されている。これにより、遮光部８１は、レンズ部１１から出射する光の一部を、レンズ部１１側に反射および拡散することにより、レンズ部１１から表示部１の短辺部１ａ（短辺部１ｂ）に向かう光を、遮光する（減衰させる）ように構成されている。
【００４９】
また、図８に示すように、光路変更部材８は、レンズ部１１から出射する光の一部を遮光する一方、レンズ部１１から出射する光の一部は、遮光部８１を回り込んで（回折して）、表示部１の短辺部１ａ（短辺部１ｂ）側に向かう。これにより、短辺部１ａ（短辺部１ｂ）の近傍で、輝度が極度に低くなるのを抑制することが可能になる。
【００５０】
そして、第１実施形態では、図７に示すように、光路変更部材８の遮光部８１は、点光源２（レンズ部１１）から傾斜部７２ａまたは７２ｂまでの光路を遮るように（光路上に）、点光源２の傾斜部７２ａ側に配置されている。
【００５１】
具体的には、矢印Ｚ２方向側から見て、点光源２と短辺部１ａとを結ぶ線分を、Ａｅとして、点光源２（レンズ部１１）から傾斜部７２ａまでの光路のうちの光の強度がピーク値となる光路を示す線分を、Ａｐとして、点光源２（レンズ部１１）から傾斜部７２ａまでの光路のうちの光の強度がピーク値の２分の１となる光路を示す線分を、線分Ａｈ１として表す。また、点光源２（レンズ部１１）から光学シート１２までの直接光の光路のうちの光の強度がピーク値の２分の１となる光路を示す線分を、Ａｈ２として表す。
【００５２】
なお、点光源２（レンズ部１１）から傾斜部７２ａまでの光路のうちの光の強度がピーク値となる光路は、たとえば、レンズ部１１の配光角の中心角度の方向に出射される光の経路と一致する。
【００５３】
そして、光路変更部材８の遮光部８１は、線分Ａｅと線分Ａｈ１との間の光路のうちの光の強度がピーク値の２分の１以上となる光路（線分Ａｅおよび線分Ａｈ１を含む）を遮るように、点光源２の傾斜部７２ａ（または７２ｂ）側に配置されている。
【００５４】
詳細には、レンズ部１１から傾斜部７２ａまでの光路のうちの光の強度がピーク値の２分の１となる光路の底面部７１に対する角度をθ１として、傾斜部７２ａの底面部７１に対する角度をθ２として、レンズ部１１と、底面部７１と傾斜部７２ａとが接続される点（線）までの距離をｄ３として、レンズ部１１と光学シート１２（表示部１）との距離をｄ４とすると、これらは、以下の式（１）を満たすように設定されている。
（ｄ３×ｔａｎθ１×ｔａｎθ２）／（ｔａｎθ２−ｔａｎθ１）＜ｄ４  ・・・  （１）
【００５５】
すなわち、点光源２（レンズ部１１）から傾斜部７２ａまでの光路のうちの光の強度がピーク値の２分の１となる光路（線分Ａｈ１）は、点Ｂ１において傾斜部７２ａと交わる。この場合、傾斜部７２ａにより、レンズ部１１からの光を表示部１側（矢印Ｙ１方向側）に反射および拡散される。
【００５６】
そして、遮光部８１は、少なくとも線分Ａｈ１および線分Ａｅを遮る（交差する）位置に配置されている。詳細には、遮光部８１は、線分Ａｈ１と、線分Ａｐと、線分Ａｅと、線分Ａｈ２とを遮る位置に配置されている。具体的には、遮光部８１の幅Ｗ３（図５参照）および接続部８２の長さＬ（図５参照）は、遮光部８１が、線分Ａｈ１と、線分Ａｐと、線分Ａｅと、線分Ａｈ２とを遮る位置に配置される大きさに設定されている。これにより、遮光部８１が上記の光路を遮ることによって、短辺部１ａの近傍の輝度が大きくなるのを抑制することが可能になる。この点については、図９のシミュレーション結果を用いて、後述する。
【００５７】
また、第１実施形態では、図５に示すように、反射シート７（底面部７１）には、レンズ部１１と光源基板１０との隙間に配置され、光路変更部材８の位置を規制する位置規制部７３が設けられている。具体的には、位置規制部７３は、光路変更部材８の２つの接続部８２の間（光路変更部材８の近傍）に設けられ、開口部７１ａの内側に突出するとともに、長方形形状を有するように形成されている。また、図６に示すように、位置規制部７３は、Ｚ軸に平行な方向に幅Ｗ２を有するとともに、Ｘ軸に平行な方向に長さＬを有する。すなわち、位置規制部７３は、略Ｕ字形状を有する光路変更部材８の内側に配置された反射シート７の一部分である。
【００５８】
そして、図５および図７に示すように、位置規制部７３は、反射シート７がリアフレーム５に取付けられた際に、レンズ部１１と光源基板１０との隙間に配置される。これにより、位置規制部７３は、レンズ部１１により矢印Ｙ１方向側への移動が規制されるとともに、光源基板１０により矢印Ｙ２方向側への移動が規制される。その結果、位置規制部７３は、Ｙ軸に平行な方向に移動するのが規制されるので、位置規制部７３の近傍で、かつ、同一の反射シート７に形成されている光路変更部材８のＹ軸に平行な方向の移動を規制することが可能になる。
【００５９】
（点光源からの距離と表示部上での輝度との関係のシミュレーション結果）
次に、図９を参照して、第１実施形態による表示装置１００の点光源２からの距離ｄと表示部１上での輝度との関係のシミュレーション結果について説明する。また、第１実施形態による表示装置１００のシミュレーション結果と、比較例による表示装置のシミュレーション結果との比較結果についても説明する。
【００６０】
比較例による表示装置には、光路変更部材を設けておらず、比較例による表示装置のその他の構成は、第１実施形態による表示装置１００の構成と同様にして、シミュレーションを行った。
【００６１】
シミュレーションの結果、比較例による表示装置では、図９の点線のグラフに示すように、点光源からの距離ｄが大きくなるにしたがって、徐々に表示部上での輝度は小さくなった。しかしながら、距離ｄ１となる位置（短辺部１ａの近傍）では、比較的輝度が大きくなった。
【００６２】
この結果から、比較例による表示装置では、人の目にとって、距離ｄ１となる位置（短辺部１ａの近傍）は、違和感を感じる程度に明るく見える（輝度ムラがあるように見える）場合があると考えられる。
【００６３】
また、シミュレーションの結果、第１実施形態による表示装置１００では、図９の実線のグラフに示すように、点光源２から距離ｄが大きくなるにしたがって、徐々に表示部１上での輝度は小さくなり、輝度は、距離ｄ１まで、なだらかに小さくなった。
【００６４】
この結果から、第１実施形態による表示装置１００では、人の目にとって、距離ｄ１となる位置（短辺部１ａの近傍）は、違和感を感じる（輝度ムラがあると感じる）場合が少ないと考えられる。
【００６５】
［第１実施形態の効果］
第１実施形態では、以下のような効果を得ることができる。
【００６６】
第１実施形態では、上記のように、表示装置１００に、点光源２の傾斜部７２ａ（または７２ｂ）側に配置され、点光源２から傾斜部７２ａまたは７２ｂまでの直接光の光路上に配置されている光路変更部材８を備える。これにより、点光源２から傾斜部７２ａ（または７２ｂ）に向かう光の光路を変更するか、光を減衰または遮光することができる。その結果、傾斜部７２ａ（または７２ｂ）に照射される光の強度が比較的小さくなるので、底面部７１に対して傾斜して設けられる傾斜部７２ａ（または７２ｂ）により反射されて、表示部１の短辺部１ａ（または短辺部１ｂ）の近傍に向かう光の強度を比較的小さくすることができる。この結果、表示部１の短辺部１ａ（または１ｂ）の近傍の輝度が高くなるのを抑制することができる。その結果、表示部１の短辺部１ａ（または１ｂ）の近傍の輝度が高くなることに起因した、表示部１上での輝度ムラの発生を抑制することができる。
【００６７】
また、第１実施形態では、上記のように、光路変更部材８を、遮光、反射、拡散、回折、減衰のうちの少なくとも１つの性質を有するように構成する。これにより、遮光、反射、拡散、回折、減衰のうちの少なくとも１つの性質を用いて、容易に、点光源２から傾斜部７２ａおよび傾斜部７２ｂに向かう光の光路を変更することができる。
【００６８】
また、第１実施形態では、上記のように、表示部１に、４つの辺（短辺部１ａおよび１ｂ、長辺部１ｃおよび１ｄ）を設けて、点光源２を、複数設ける。また、光路変更部材８を、複数の点光源２のうち、４つの辺のうちの２つの辺から所定の距離（ｄｔ１およびｄｔ２）以下の位置に配置されている点光源部２ａの傾斜部７２ａ（または７２ｂ）側に配置されている。ここで、表示部１の４つの辺のうちの２つの辺の交点近傍である角部１ｅ〜１ｈには、点光源２からの光が比較的届きにくい。このため、表示部１の角部１ｅ〜１ｈの輝度の低下を抑制するために、表示部１の角部１ｅ〜１ｈの近傍に、点光源２が設けられる。この場合、表示部１の角部１ｅ〜１ｈの輝度の低下を抑制することができる一方、点光源部２と、表示部１の短辺部１ａおよび１ｂとの距離が比較的小さくなるので、表示部１の短辺部１ａおよび１ｂが比較的輝度が高くなりやすい。この点に対して、上記のように構成することにより、複数の点光源部２ａとの距離が比較的小さく、比較的輝度が高くなりやすい表示部１の短辺部１ａおよび１ｂの近傍の輝度が高くなるのを抑制することができるので、表示部１上での輝度ムラの発生を、効果的に、抑制することができる。
【００６９】
また、第１実施形態では、上記のように、光路変更部材８を、点光源２から傾斜部７２ａ（または傾斜部７２ｂ）までの光路のうちの光の強度がピーク値の２分の１以上となる光路上に配置する。ここで、点光源２から傾斜部７２ａ（または傾斜部７２ｂ）までの光のうちの光の強度がピーク値の２分の１以上となる強い光が、反射シート７に反射された場合、表示部１上では、輝度ムラが生じる場合が多い。この点を考慮して、第１実施形態では、光路変更部材８を、点光源２から傾斜部７２ａ（または傾斜部７２ｂ）までの光路のうちの光の強度がピーク値の２分の１以上となる光路を遮るように、点光源２の傾斜部７２ａ（または傾斜部７２ｂ）側に配置する。これにより、比較的輝度ムラを生じやすいピーク値の２分の１以上となる光の光路を変更することができるので、より効果的に、表示部１上での輝度ムラの発生を抑制することができる。
【００７０】
また、第１実施形態では、上記のように、光路変更部材８を、反射シート７に一体的に設ける。これにより、光路変更部材８を、別部品として設ける必要がないので、その分、表示装置１００の部品点数が増加するのを抑制することができる。
【００７１】
また、第１実施形態では、上記のように、光路変更部材８に、反射シート７の底面部７１から表示部１に向かって、折り曲げ可能に形成される折り曲げ部８３を設ける。これにより、反射シート７に切り込みをいれて、折り曲げ部８３を折り曲げることにより、容易に、光路変更部材８を反射シート７に一体的に設けることができる。
【００７２】
また、第１実施形態では、上記のように、表示装置１００に、点光源２と、点光源２を覆うレンズ部１１と、点光源２が実装された光源基板１０とを設けて、反射シート７に、レンズ部１１と光源基板１０との隙間に配置され、光路変更部材８の位置を規制する位置規制部７３を設ける。これにより、反射シート７の位置規制部７３がレンズ部１１と光源基板１０との隙間に配置されることにより、反射シート７に一体的に設けられている光路変更部材８の位置が規制されるので、光路変更部材８が点光源２の傾斜部７２ａ（または７２ｂ）側（配置された位置）からずれるのを抑制することができる。
【００７３】
[第２実施形態]
次に、図１０〜図１２を参照して、第２実施形態による表示装置２００の構成について説明する。第２実施形態では、反射シート７に一体的に設けられ、光を反射（遮光）するように構成されていた光路変更部材８を備える表示装置１００の構成とは異なり、表示装置２００に、反射シート２０７とは別個に設けられ、光を導光するように構成されている光路変更部材２０８を備えている。なお、上記第１実施形態と同一の構成については、同じ符号を付してその説明を省略する。
【００７４】
（第２実施形態による表示装置の構成）
図１０に示すように、第２実施形態による表示装置２００には、反射シート２０７と、光路変更部材２０８とが設けられている。
【００７５】
ここで、第２実施形態では、図１１に示すように、光路変更部材２０８は、表示部１の角部１ｅ〜１ｈ（４つの辺（短辺部１ａおよび１ｂ、長辺部１ｃおよび１ｄ）のうちの２つの辺の交点近傍）のうちのいずれかの角部側に、点光源部２（点光源２ａ）からの光を屈折して導光する導光部２０８ａを含む。なお、反射シート２０７には、第１実施形態による表示装置１００の光路変更部材８および位置規制部材７３が設けられていない。それ以外は、反射シート２０７は、第１実施形態による表示装置１００の反射シート７と同様に構成されている。
【００７６】
具体的には、図１０に示すように、光路変更部材２０８は、４個設けられており、４つの点光源２ａの傾斜部７２ａ（または７２ｂ）側にそれぞれ配置されている。そして、光路変更部材２０８は、点光源２ａと短辺部１ａ（または短辺部１ｂ）との間に配置されている。そして、光路変更部材２０８は、点光源２ａから表示部１の短辺部１ａ（または１ｂ）に向かう光を屈折させて、角部１ｅ（１ｆ、１ｇ、または、１ｈ）に導光するように構成されている。また、光路変更部材２０８は、開口部７１ａを介して、基板１０に接着剤により接着されることにより固定されている。
【００７７】
図１１に示すように、光路変更部材２０８は、導光部２０８ａと、点光源２側に設けられている入射面２８１と、傾斜部７２ａ（または７２ｂ）側に設けられている出射面２８２とを含む。
【００７８】
導光部２０８ａは、たとえば、透明の樹脂材料（アクリル樹脂やポリカーボネード等）により構成されており、内部で光を反射させて導光可能に構成されている。
【００７９】
入射面２８１は、矢印Ｙ１方向側から見て、点光源２（レンズ部１１）の短辺部１ａに向かう光の経路（光路Ｃ１）に垂直な平面（ＹＺ平面に平行な面）上に、平面状に形成されている。
【００８０】
出射面２８２は、矢印Ｙ１方向側から見て、Ｚ軸に対して、角度θ３の傾斜を有するように形成されている。これにより、出射面２８２は、図１１および図１２に示すように、点光源２から、短辺部１ａ側に向かう光（光路Ｃ１の光）を屈折させて、表示部１の角部１ｅに向かう光（光路Ｃ２の光）として、光を出射するように構成されている。
【００８１】
また、４つの光路変更部材２０８は、図１０に示すように、それぞれ近傍の角部１ｅ〜１ｈに光を導光するように構成されている。これにより、光路変更部材２０８により、短辺部１ａおよび１ｂの近傍の輝度が大きくなるのを抑制することが可能になるとともに、角部１ｅ〜１ｈの輝度が小さくなるのを抑制することが可能になる。この点については、以下のシミュレーション結果（図１３参照）を用いて詳述する。
【００８２】
また、第２実施形態による表示装置２００のその他の構成は、第１実施形態における表示装置１００と同様である。
【００８３】
（第２実施形態による表示装置に関するシミュレーション結果）
次に、図１３を参照して、第２実施形態による表示装置２００の点光源２からの距離ｄと表示部１上での輝度との関係のシミュレーション結果について説明する。また、第２実施形態による表示装置２００のシミュレーション結果と、比較例による表示装置のシミュレーション結果との比較結果についても説明する。
【００８４】
比較例による表示装置には、光路変更部材を設けておらず、比較例による表示装置のその他の構成は、第２実施形態による表示装置２００の構成と同様にして、シミュレーションを行った。
【００８５】
シミュレーションの結果、比較例による表示装置では、図１３の点線のグラフに示すように、点光源からの距離ｄが大きくなるにしたがって、徐々に表示部上での輝度は小さくなる一方、短辺部の近傍では比較的輝度が大きくなった。また、比較例による表示装置では、角部の近傍では比較的輝度が小さくなった。また、短辺部の近傍における輝度と、角部の近傍における輝度とに差が生じることが判明した。
【００８６】
この結果から、比較例による表示装置では、人の目にとって、短辺部の近傍は、違和感を感じる程度に明るく見える（輝度ムラがあるように見える）場合があると考えられる。さらに、短辺部の近傍における輝度と、角部の近傍における輝度とに差が生じ、これによっても、輝度ムラがあるように見える場合があると考えられる。
【００８７】
シミュレーションの結果、第２実施形態による表示装置２００では、図１３の実線のグラフに示すように、短辺部の近傍で輝度が大きくならず、短辺部の近傍における輝度と、角部の近傍における輝度との差が抑制されることが判明した。
【００８８】
この結果から、第２実施形態による表示装置２００では、人の目にとって、輝度ムラがあると感じる場合が、より少なくなると考えられる。
【００８９】
[第２実施形態の効果]
第２実施形態では、以下のような効果を得ることができる。
【００９０】
第２実施形態では、上記のように、光路変更部材２０８を、光を屈折させる性質を有するように構成するとともに、角部１ｅ〜１ｈ側に、点光源２からの光を屈折して導光する導光部２０８ａを含む。ここで、上記したように、角部１ｅ〜１ｈには、点光源２からの光が比較的届きにくいので、角部１ｅ〜１ｈの輝度の低下を抑制するために、角部１ｅ〜１ｈの近傍に、点光源部２が設けられる場合がある。しかしながら、この場合、点光源部２が角部１ｅ〜１ｈ側に設けられる分、点光源部２同士の間の距離が大きくなるので、点光源部２同士の間の距離が大きくなることに起因する輝度ムラを抑制するために、点光源部２の数を増大させる必要が生じる場合がある。この点に対して、上記のように構成することにより、導光部２０８ａにより光を角部１ｅ〜１ｈに照射することができるので、角部１ｅ〜１ｈの近傍に、点光源部２を設ける必要がない。その結果、点光源部２の数の増大を抑制しながら、表示部１上での輝度ムラの発生をさらに抑制することができる。
【００９１】
また、第２実施形態による表示装置２００のその他の効果は、第１実施形態における表示装置１００と同様である。
【００９２】
[第３実施形態]
次に、図１４を参照して、第３実施形態による表示装置３００の構成について説明する。第３実施形態では、光を屈折して導光することにより、角部１ｅ〜１ｈに光を照射するように構成されていた第２実施形態による表示装置２００と異なり、光を反射することにより、角部１ｅ〜１ｈに光を照射するように構成されている。なお、上記第１実施形態および上記第２実施形態と同一の構成については、同じ符号を付してその説明を省略する。
【００９３】
（第３実施形態による表示装置の構成）
図１４に示すように、第３実施形態による表示装置３００には、反射シート２０７と、光路変更部材３０８とが設けられている。
【００９４】
ここで、第３実施形態では、光路変更部材３０８は、表示部１の角部１ｅ〜１ｈ（４つの辺（短辺部１ａおよび１ｂ、長辺部１ｃおよび１ｄ）のうちの２つの辺の交点近傍）のうちのいずれかの角部側に、点光源部２（点光源２ａ）からの光を反射する反射面３８１を含む。
【００９５】
具体的には、図１４に示すように、光路変更部材３０８は、４個設けられており、４つの点光源２ａの傾斜部７２ａ（または７２ｂ）側にそれぞれ配置されている。そして、光路変更部材３０８は、点光源２ａと短辺部１ａ（または短辺部１ｂ）との間に配置されている。また、光路変更部材３０８は、開口部７１ａを介して、基板１０に接着剤により接着されることにより固定されている。
【００９６】
そして、光路変更部材３０８は、反射面３８１を含み、反射面３８１は、短辺部１ａ（または１ｂ）に傾斜して配置されている。これにより、反射面３８１は、点光源２ａから表示部１の短辺部１ａ（または１ｂ）に向かう光を反射させて、角部１ｅ（１ｆ、１ｇ、または、１ｈ）に光を照射するように構成されている。
【００９７】
また、第３実施形態による表示装置３００のその他の構成は、第１実施形態における表示装置１００と同様である。
【００９８】
[第３実施形態の効果]
第３実施形態では、以下のような効果を得ることができる。
【００９９】
第３実施形態では、上記のように、光路変更部材３０８を、光を反射する性質を有するように構成するとともに、角部１ｅ〜１ｈ側に、点光源２からの光を反射する反射面３８１を含む。これにより、比較的輝度が低くなりやすい４つの角部１ｅ〜１ｈに、反射面３８１により光を照射することができる。これにより、反射面３８１により光を角部１ｅ〜１ｈに照射することができるので、角部１ｅ〜１ｈの近傍に、点光源部２を設ける必要がない。その結果、点光源部２の数の増大を抑制しながら、表示部１上での輝度ムラの発生をより抑制することができる。
【０１００】
また、第３実施形態による表示装置３００のその他の効果は、第１実施形態における表示装置１００と同様である。
【０１０１】
[変形例]
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１０２】
たとえば、上記第１〜第３実施形態では、表示部として、液晶セルを含むパネルを用いる例を示したが、本発明はこれに限らない。たとえば、表示部として有機エレクトロルミネッセンスを含むパネルを用いてもよい。
【０１０３】
また、上記第１〜第３実施形態では、光路変更部材を、１つの点光源と傾斜部との間に、１つずつ配置するように設ける例を示したが、本発明はこれに限らない。たとえば、図１５に示す第１変形例による表示装置４００のように、１つの点光源２ａと傾斜部７２ａ〜７２ｄとの間に、それぞれ２つの光路変更部材４０８を設けてもよい。
【０１０４】
第１変形例による表示装置４００では、図１５に示すように、表示装置４００に、反射シート４０７と、８個の光路変更部材４０８とが設けられている。反射シート４００は、底面部４７１を含み、底面部４７１に、光路変更部材４０８が一体的に設けられている。そして、光路変更部材４０８は、第１実施形態による表示装置１００の光路変更部材８と同様の形状を有し、点光源２ａの近傍に、それぞれ２つ設けられている。
【０１０５】
光路変更部材４０８は、短辺部１ａおよび１ｂと長辺部１ｃおよび１ｄとのうち、点光源２ａに近接する短辺部および長辺部側に配置されている。これにより、光路変更部材４０８は、短辺部１ａおよび１ｂのみならず、長辺部１ｃおよび１ｄにおいても、比較的輝度が高くなりやすい位置の輝度が高くなるのを抑制することが可能に構成されている。
【０１０６】
また、上記第１実施形態では、光路変更部材の遮光部を、長方形形状を有するように構成する例を示したが、本発明はこれに限られない。たとえば、図１６に示す第２変形例による光路変更部材５０８のように、光路変更部材５０８を、円弧状の辺５８１ａを有する遮光部５８１を含むように構成してもよい。
【０１０７】
第２変形例による光路変更部材５０８では、図１６に示すように、光路変更部材５０８に、円弧状の辺５８１ａを有する遮光部５８１を設ける。また、円弧状の辺５８１ａの曲率は、レンズ部１１の外周の曲率と略等しい大きさに設定されている。
【０１０８】
また、上記第１〜第３実施形態では、光路変更部材を、反射シートに一体的に設けるか、または、レンズ部から離間した位置に別部材として設ける例を示したが、本発明はこれに限られない。たとえば、図１７に示す第３変形例による光路変更部材６０８のように、光路変更部材６０８を、シール部材または塗装により形成して、光路変更部材６０８をレンズ部に取付けるように構成してもよい。
【０１０９】
第３変形例による光路変更部材６０８では、図１７に示すように、光路変更部材６０８は、シール部材または塗装により形成されている。そして、光路変更部材６０８は、点光源２ａの傾斜部側に配置され、点光源２ａから傾斜部に向かう光の一部を、遮光するか、拡散するように構成されている。
【０１１０】
また、上記第２実施形態では、光路変更部材の導光部を、角部に導光するように構成する例を示したが、本発明はこれに限られない。たとえば、図１８に示す第４変形例による光路変更部材７０８のように、光路変更部材７０８の導光部７０８ａを、点光源２ａから短辺部１ａに向かう光の経路を表示部１の中央部側（矢印Ｘ２方向側）に導光するように構成してもよい。
【０１１１】
第４変形例による光路変更部材７０８では、図１８に示すように、光路変更部材７０８は、導光部７０８ａと、出射面７８１とを含む。出射面７８１は、表示部１に垂直な方向（Ｙ軸に平行な方向）に対して傾斜するように構成されている。これにより、導光部７０８ａは、点光源２ａ（レンズ部１１）から入射され、点光源２ａから短辺部１ａに向かう光の経路を表示部１の中央部側（矢印Ｘ２方向側）に導光するように構成されている。
【０１１２】
また、上記第３実施形態では、光路変更部材の反射面を、角部に導光するように構成する例を示したが、本発明はこれに限られない。たとえば、図１９に示す第５変形例による光路変更部材８０８のように、光路変更部材８０８の反射面８８１を、点光源２ａから短辺部に向かう光を表示部１の中央部側に反射するように構成してもよい。
【０１１３】
第５変形例による光路変更部材８０８では、図１９に示すように、光路変更部材８０８は、反射８８１を含む。反射面８８１は、矢印Ｙ１方向側から見て、短辺部と平行（Ｙ軸に平行な方向）に配置されている。これにより、反射面８８１は、点光源２ａから短辺部に向かう光を表示部１の中央部側に反射することが可能に構成されている。
【０１１４】
また、上記第１〜３実施形態では、光路変更部材を、４つの角部にそれぞれ最も近い位置に配置される点光源部の傾斜部側に設ける例を示したが、本発明はこれに限られない。すなわち、光路変更部材を、４つの角部にそれぞれ最も近い位置に配置される点光源部以外の傾斜部側に設けてもよい。
【０１１５】
また、上記第２実施形態および第３実施形態では、光路変更部材を、開口部を介して、基板に接着剤により接着されることにより固定する例を示したが、本発明はこれに限られない。すなわち、光路変更部材を、基板に接着剤により接着されることにより固定する構成以外の構成により、光路変更部材を固定してもよい。たとえば、図２０に示す第６変形例の表示装置９００、および、図２１に示す第７変形例の表示装置１０００のように、フック部を用いて、光路変更部材を表示装置に固定するように構成してもよい。
【０１１６】
ここで、図２０に示すように、第２実施形態および第３実施形態の第６変形例による表示装置９００は、光路変更部材９０８と、ヒートシンク９０９と、光源基板９１０とを含む。光路変更部材９０８は、第２実施形態または第３実施形態の光路変更部材と同様に形成された本体部９０８ａと、本体部９０８ａから矢印Ｙ２方向に延びるように設けられたフック部９０８ｂとを含む。そして、ヒートシンク９０９には、光路変更部材９０８が配置される位置の矢印Ｙ２方向側に、開口部９ａが設けられている。また、光源基板９１０には、光路変更部材９０８が配置される位置の矢印Ｙ２方向側に、開口部１０ｂが設けられている。そして、フック部９０８ｂは、開口部９ａおよび１０ｂの内部を貫通して、ヒートシンク９０９に対して、係止することにより、光路変更部材９０８は、表示装置９００に対して固定されている。
【０１１７】
また、図２１に示すように、第２実施形態および第３実施形態の第７変形例による表示装置１０００は、光路変更部材１００８と、ヒートシンク１００９と、光源基板１０１０と、リアフレーム１００５とを含む。光路変更部材１００８は、第２実施形態または第３実施形態の光路変更部材と同様に形成された本体部１００８ａと、本体部１００８ａから矢印Ｙ２方向に延びるように設けられたフック部１００８ｂとを含む。そして、ヒートシンク１００９には、第６変形例と同様に、開口部９ａが設けられている。また、光源基板１０１０には、第６変形例と同様に、開口部１０ｂが設けられている。そして、リアフレーム１００５には、開口部９ａおよび１０ｂの矢印Ｙ２方向側に、開口部１００５ａが設けられている。そして、フック部１００８ｂは、開口部９ａ、１０ｂおよび１００５ａの内部を貫通して、リアフレーム１００５に対して、係止することにより、光路変更部材９０８は、表示装置９００に対して固定されている。
【０１１８】
また、上記第２実施形態および第３実施形態では、光路変更部材を、基板（光源基板）に、接着されることにより固定する例を示したが、本発明はこれに限られない。たとえば、上記第６変形例の光源基板９１０およびヒートシンク９０９を用いることにより、光路変更部材の一部を、開口部９ａおよび１０ｂを貫通させて、リアフレーム５に接着されることにより固定してもよい。
【符号の説明】
【０１１９】
１  表示部
１ａ、１ｂ  短辺部（表示部の外縁部、辺）
１ｃ、１ｄ  長辺部（表示部の外縁部、辺）
１ｅ〜１ｈ  角部
２、２ａ  点光源
７、２０７、４０７  反射シート（反射部材）
８、２０８、３０８、４０８、５０８、６０８、７０８、８０８、９０８、１００８  光路変更部材
１０、９１０  光源基板
１１  レンズ部
７１、２７１、４７１  底面部
７２ａ〜７２ｄ  傾斜部
７３  位置規制部
８３  折り曲げ部
１００、２００、３００、４００、９００、１０００  表示装置
１０１  背面（第１面）
２０８ａ、７０８ａ  導光部
３８１、８８１  反射面
【図１】
2017084538.tif 000003
【図２】
2017084538.tif 000004
【図３】
2017084538.tif 000005
【図４】
2017084538.tif 000006
【図５】
2017084538.tif 000007
【図６】
2017084538.tif 000008
【図７】
2017084538.tif 000009
【図８】
2017084538.tif 000010
【図９】
2017084538.tif 000011
【図１０】
2017084538.tif 000012
【図１１】
2017084538.tif 000013
【図１２】
2017084538.tif 000014
【図１３】
2017084538.tif 000015
【図１４】
2017084538.tif 000016
【図１５】
2017084538.tif 000017
【図１６】
2017084538.tif 000018
【図１７】
2017084538.tif 000019
【図１８】
2017084538.tif 000020
【図１９】
2017084538.tif 000021
【図２０】
2017084538.tif 000022
【図２１】
2017084538.tif 000023